(57)【特許請求の範囲】
【請求項１】
発泡合成樹脂により成型され、生花を収容して運搬する際に用いるフラワーボックスであって、
一面が開口した有底の箱状体であるボックスと、
上下面が開口した筒形状のスリーブと、を備え、
前記箱状体のボックスは、上側から下側に向かって階段状に曲がった段差部を有しており、前記ボックスの底面は、前記スリーブの開口より大きく、
前記ボックスの開口面と前記スリーブの一方の開口面とが対向する方向で嵌合し、天地を逆にした前記ボックスの開口面と前記スリーブの他方の開口面とが対向する方向で嵌合することで生花を収容して運搬する際に用いる前記フラワーボックスを組み立てる、ことを特徴とするフラワーボックス。
【請求項２】
一の前記ボックスの底面を、下側の他の前記ボックスの前記段差部上に載置することで複数の前記ボックスを段積みする、ことを特徴とする請求項１記載のフラワーボックス。
【請求項３】
前記筒形状のスリーブの一方の開口面の縁側には、前記ボックスと嵌合させるための環状凸部が、周方向に沿って形成され、
前記筒形状のスリーブの他方の開口面の縁側には、前記ボックスと嵌合させるための凸部が、周方向に沿って複数配置されている、ことを特徴とする請求項１又は２に記載のフラワーボックス。
【請求項４】
前記スリーブの環状凸部及び凸部には、その長手方向に沿って、所定範囲に亘って外方に突出したツメ部が形成され、
前記ボックスの開口面側の内側面には、前記ツメ部を係止するための環状の凹部が形成される、ことを特徴とする請求項３記載のフラワーボックス。
【請求項５】
前記フラワーボックスは、さらに、
上面に生花を挿入するための複数の貫通孔が形成され、平面視で略正方形状のディスプレイパネルを備え、当該ディスプレイパネルを前記ボックスの開口面に嵌合することで生花を展示する際に用いる前記フラワーボックスを組み立てる、ことを特徴とする請求項１乃至４のいずれか一項に記載のフラワーボックス。
【請求項６】
前記ディスプレイパネルの上面は、所定角度で傾斜した傾斜面となり、当該上面の四隅には、Ｌ字状ツメ部又はＬ字状溝部が形成されている、ことを特徴とする請求項５記載のフラワーボックス。
【請求項７】
前記ディスプレイパネルの下面の縁側には、前記ボックスと嵌合させるための凸条が、周方向に沿って環状に形成される、ことを特徴とする請求項５又は６に記載のフラワーボックス。
【請求項８】
前記ボックスの底面には、天地を逆にした他の前記ボックスの底面と係合するための山部及び谷部が形成され、上下方向から前記山部及び前記谷部が係合することで段積みできる、ことを特徴とする請求項１乃至７のいずれか一項に記載のフラワーボックス。
【発明の詳細な説明】
【技術分野】
【０００１】
本発明は、発泡スチロールで形成され、ミニブーケなどの生花を運搬・展示する際に用いるフラワーボックスに関するものである。
【背景技術】
【０００２】
従来から、生花などを収容して車両で運搬する際には、例えば、図１４（ａ）に示すように、各種の花桶１０（例えばバケツ）が一般的に用いられている。そして、バケツ式の花桶１０に生花を数本を収容して運搬し、生花をバケツと共にそのまま店舗内に陳列する。この種の花桶１０の良い点としては、リターナブルで何度も使用でき店舗での保管や洗浄も容易、大きさや形状が各種販売されており選択幅が広いことや、インターネットなどから１個単位で購入可能なことなどが挙げられる。
【０００３】
ところで、生花を収容した花桶を車両での運搬時にその転倒を防止して、かつ花桶を上方へ持ち上げて容易に引き抜ける花桶用スタンドが開示されている（例えば、特許文献１参照）。また、花束を損傷することなく輸送したり携行することができるフラワーボックスも開示されている（例えば、特許文献２参照）。
【先行技術文献】
【特許文献】
【０００４】
【特許文献１】実用新案登録第３１６７００４号
【特許文献２】実開平６−２３４２０号公報
【発明の概要】
【発明が解決しようとする課題】
【０００５】
しかしながら、従来においては、図１４（ｂ）に示すように、生花を収容して運搬するための専用容器がないため、花加工場から店舗まで輸送する際に、バケツの花桶１０ではコンパクトに上下に重ねることができず車載効率が悪いという問題がある。
【０００６】
また、通常の車両で従来のバケツ式の花桶を用いて生花を収容・運搬すると、特に夏場においては温度調整ができず、生花が非常に痛みやすいという問題もある。
【０００７】
さらに、生花をバケツなどの花桶と共にそのまま店舗内に陳列するとしても、店舗ではミニブーケなどの小さな生花の寸法に見合ったバケツがなく、ディスプレイ時の見た目が良くならないという問題もある。またさらに、生花を収容して運搬できる花桶（フラワーボックス）は、より軽量であることやより安価であることも求められている。
【０００８】
本発明は、上記課題に鑑みてなされたものであり、運搬時における車載効率が良く、保冷機能を備え、且つディスプレイ性の高い全く新しいタイプのフラワーボックスを提供することを目的とする。
【課題を解決するための手段】
【０００９】
上記課題を解決するため、本発明は、発泡合成樹脂により成型され、生花を収容して運搬する際に用いるフラワーボックスであって、一面が開口した有底の箱状体であるボックスと、上下面が開口した筒形状のスリーブと、を備え、前記箱状体のボックスは、上側から下側に向かって階段状に曲がった段差部を有しており、前記ボックスの底面は、前記スリーブの開口より大きく、前記ボックスの開口面と前記スリーブの一方の開口面とが対向する方向で嵌合し、天地を逆にした前記ボックスの開口面と前記スリーブの他方の開口面とが対向する方向で嵌合することで生花を収容して運搬する際に用いる前記フラワーボックスを組み立てる、ことを特徴とする。
【００１０】
このフラワーボックスにおいて、一の前記ボックスの底面を、下側の他の前記ボックスの前記段差部上に載置することで複数の前記ボックスを段積みすることが好ましい。
【００１１】
このフラワーボックスにおいて、前記筒形状のスリーブの一方の開口面の縁側には、前記ボックスと嵌合させるための環状凸部が、周方向に沿って形成され、前記筒形状のスリーブの他方の開口面の縁側には、前記ボックスと嵌合させるための凸部が、周方向に沿って複数配置されていることが好ましい。
【００１２】
このフラワーボックスにおいて、前記スリーブの環状凸部及び凸部には、その長手方向に沿って、所定範囲に亘って外方に突出したツメ部が形成され、前記ボックスの開口面側の内側面には、前記ツメ部を係止するための環状の凹部が形成されることが好ましい。
【００１３】
このフラワーボックスにおいて、前記フラワーボックスは、さらに、上面に生花を挿入するための複数の貫通孔が形成され、平面視で略正方形状のディスプレイパネルを備え、当該ディスプレイパネルを前記ボックスの開口面に嵌合することで生花を展示する際に用いる前記フラワーボックスを組み立てることが好ましい。
【００１４】
このフラワーボックスにおいて、前記ディスプレイパネルの上面は、所定角度で傾斜した傾斜面となり、当該上面の四隅には、Ｌ字状ツメ部又はＬ字状溝部が形成されていることが好ましい。
【００１５】
このフラワーボックスにおいて、前記ディスプレイパネルの下面の縁側には、前記ボックスと嵌合させるための凸条が、周方向に沿って環状に形成されることが好ましい。
【００１６】
このフラワーボックスにおいて、前記ボックスの底面には、天地を逆にした他の前記ボックスの底面と係合するための山部及び谷部が形成され、上下方向から前記山部及び前記谷部が係合することで段積みできることが好ましい。
【発明の効果】
【００１７】
本発明に係るフラワーボックスは、一面が開口した有底の箱状体であるボックスと、上下面が開口した筒形状のスリーブとを備える。そして、ボックスの開口面とスリーブの一方の開口面とが対向する方向で嵌合し、天地を逆にしたボックスの開口面とスリーブの他方の開口面とが対向する方向で嵌合する。この構成により、本発明に係るフラワーボックスは、運搬時における車載効率が良く、保冷機能を備え、且つディスプレイ性の高い全く新しいタイプのフラワーボックスとなる。
【図面の簡単な説明】
【００１８】
【図１】（ａ）本発明の実施の形態に係るフラワーボックスを輸送する際の組み立てた状態を示した斜視図、（ｂ）同上フラワーボックスを展示する際の組み立て状態を示した斜視図である。
【図２】（ａ）同上フラワーボックスを成すボックスの上面からの斜視図、（ｂ）同上ボックスの下面からの斜視図、（ｃ）同上ボックスを上下に段積みする状態を示した斜視図である。
【図３】（ａ）図１（ａ）で組み立てた状態の同上フラワーボックスの上面図、（ｂ）同上フラワーボックスの側面図、（ｃ）同上フラワーボックスのＡ−Ａ線断面図、（ｄ）同上フラワーボックスの斜視図である。
【図４】（ａ）同上ボックスを段積みした状態の側面図、（ｂ）その斜視図、（ｃ）同上フラワーボックスを成すディスプレイパネルを段積みした状態の斜視図である。
【図５】（ａ）同上ボックスの正面図、（ｂ）同上ボックスの左側面図、（ｃ）同上ボックスの上面図、（ｄ）同上ボックスの底面図、（ｅ）同上ボックスのＢ−Ｂ線断面図、（ｆ）同上ボックスのＣ−Ｃ線断面図、（ｇ）同上ボックスのＤ−Ｄ線断面図、（ｈ）同上ボックスのＥ線拡大図である。
【図６】（ａ）同上フラワーボックスを成すスリーブの正面図、（ｂ）同上スリーブの左側面図、（ｃ）同上スリーブの上面図、（ｄ）同上スリーブの底面図、（ｅ）同上スリーブの右側面図、（ｆ）同上スリーブのＦ−Ｆ線断面図、（ｇ）同上スリーブのＧ−Ｇ線断面図、（ｈ）同上スリーブのＨ線拡大図、（ｉ）同上スリーブのＩ線拡大図である。
【図７】（ａ）展示用に組み立てた状態の同上フラワーボックスの上面図、（ｂ）同上フラワーボックスの正面図、（ｃ）同上フラワーボックスのＪ−Ｊ線断面図、（ｄ）同上フラワーボックスの斜視図である。
【図８】（ａ）同上ディスプレイパネルの上面側の斜視図、（ｂ）同上ディスプレイパネルの下面側の斜視図である。
【図９】（ａ）同上ディスプレイパネルの背面図、（ｂ）同上ディスプレイパネルの左側面図、（ｃ）同上ディスプレイパネルの上面図、（ｄ）同上ディスプレイパネルの正面図、（ｅ）同上ディスプレイパネルの底面図、（ｆ）同上ディスプレイパネルのＫ−Ｋ線断面図、（ｇ）同上ディスプレイパネルのＬ−Ｌ線断面図、（ｈ）同上ディスプレイパネルのＭ−Ｍ線断面図、（ｉ）同上ディスプレイパネルのＮ−Ｎ線断面図、（ｊ）同上ディスプレイパネルのＯ−Ｏ線断面図、（ｋ）同上ディスプレイパネルのＰ−Ｐ線断面図である。
【図１０】（ａ）及び（ｂ）複数の同上フラワーボックスを組み立てる前の状態を示した参考写真図、（ｃ）同上フラワーボックスを組み立てた状態を示した参考写真図である。
【図１１】（ａ）及び（ｂ）展示用に高さを変えて組み立てた状態の同上フラワーボックスの斜視図である。
【図１２】（ａ）〜（ｄ）展示用に同上フラワーボックスを組み立てた状態を示した参考写真図である。
【図１３】展示用の同上フラワーボックスと、従来のバケツ式の花桶を比べた場合の参考写真図である。
【図１４】（ａ）従来のバケツ式の花桶の参考写真図、（ｂ）従来のバケツ式の花桶の荷台における積載状態を示す参考写真図である。
【発明を実施するための形態】
【００１９】
本発明の実施の形態に係るフラワーボックスについて図１乃至図１３を参照して説明する。このフラワーボックスは、生花を内部に収容して、例えば、生花の運搬、展示、保存等の際に使用されるものである。
【００２０】
図１（ａ）は、運搬する際においてフラワーボックス１を組み立てた後の状態を示している。フラワーボックス１は、発泡合成樹脂により成型され、一面が開口した有底の箱状体であるボックス２と、上下面が開口した筒形状のスリーブ３とを備える。そして、運搬時には、ボックス２（Ａ）の開口面とスリーブ３の一方の開口面とが対向する方向で嵌合し、天地を逆にしたボックス２（Ｂ）の開口面とスリーブ３の他方の開口面とが対向する方向で嵌合することで生花を収容してフラワーボックス１を組み立てる。なお、フラワーボックス１は、発泡合成樹脂で成形されており、例えばポリスチレン、ポリエチレン、ポリプロピレンなどのポリオレフィン系樹脂であり、本実施の形態に係るフラワーボックス１は例えばＥＰＳ(expanded polystyrene)パネルで成型されている。
【００２１】
ボックス２は、水や氷を貯めることができる有底の箱状体であり、図２に示すように、上側から下側に向かって階段状に曲がった段差部２ａを有している。そして、図４（ａ），（ｂ）に示すように、一のボックス２の底面２ｂの縁側を、下側の他のボックス２の段差部２ａ上に載置することで複数のボックス２を段積みできるようになっている。また、図５に示すように、本実施の形態において、ボックス２は、平面視で略正方形状となっている。
【００２２】
ボックス２の底面２ｂには、図２（ｂ），（ｃ）に示すように、天地を逆にした他のボックス２の底面２ｂと係合するための山部２ｃ及び谷部２ｄが形成され、上下方向からボックス２の山部２ｃ及び谷部２ｄが係合することで段積みできる。より具体的には、図２（ｂ）、図５に示すように、２の矩形状の山部２ｃと、２の矩形状の谷部２ｄとが対角線上に並んだ正方形状の凹凸部２ｅが、底面２ｂの外側の四隅に形成される。なお、ボックス２は、例えば、縦側面寸法２３０（ｍｍ）×横側面寸法２３０（ｍｍ）×高さ寸法１３２（ｍｍ）となる。
【００２３】
スリーブ３は、図６に示すように、平面視で略正方形状となる筒形状を有し、一方の開口面の縁側には、ボックス２と嵌合させるための環状凸部３ａが、周方向に沿って形成される。また、スリーブ３の他方の開口面の縁側には、ボックス２と嵌合させるための凸部３ｂが、周方向に沿って複数配置されている。さらに、図６（ｈ），（ｉ）に示すように、スリーブ３の環状凸部３ａ及び凸部３ｂには、その長手方向に沿って、所定範囲に亘って外方に突出したツメ部３ｃ及び３ｄが形成される。一方、ボックス２の開口面側の内側面には、図２（ａ）、図５に示すように、ツメ部３ｃ及び３ｄと係合するための環状の凹部２ｆが形成されている。なお、スリーブ３は、例えば、縦側面寸法２３０（ｍｍ）×横側面寸法２３０（ｍｍ）×高さ寸法１５６（ｍｍ）となる。
【００２４】
また、フラワーボックス１は、図１（ｂ），図７〜９に示すように、ディスプレイパネル４を備えている。このディスプレイパネル４には、平面視で略正方形状となり、上面４ａに生花を挿入するための複数の貫通孔４ｂが形成され、ディスプレイパネル４の下面をボックス２の開口面に嵌合することで生花を展示する際に用いるフラワーボックス１を組み立てることができる。ディスプレイパネル４の下面の縁側には、ボックス２と嵌合させるための凸条４ｃが、周方向に沿って環状に形成されている。なお、本実施の形態においては、貫通孔４ｂの数を５個としているが、貫通孔４ｂの数や配置は適宜変更可能であることは言うまでもない。
【００２５】
図８，９に示すように、ディスプレイパネル４の上面４ａは、所定角度で傾斜した傾斜面となる。上面４ａの四隅の近傍には、２つのＬ字状ツメ部４ｄと２つのＬ字状溝部４ｅとが形成されている。そして、図４（ｃ）に示すように、一方のディスプレイパネル４の天地を逆にした状態で、他方のディスプレイパネル４上に載置することにより、Ｌ字状ツメ部４ｄとＬ字状溝部４ｅとが上手く係合し、複数のディスプレイパネル４を安定した状態で段積みできるようになっている。なお、ディスプレイパネル４は、例えば、縦側面寸法２３０（ｍｍ）×横側面寸法２３０（ｍｍ）×高さ寸法４２（ｍｍ）となる。なお、凸条４ｃには、図９（ａ）に示すように、ボックス２の凹部２ｆに係合するため、その長手方向に沿って、所定範囲に亘って外方に突出したツメ部４ｆが形成されている。
【００２６】
フラワーボックス１の重量としては、例えば、ボックス２が４５ｇ、スリーブ３が８７ｇ、ディスプレイパネル４が２１ｇであり、従来のバケツ式の花桶と比較して非常に軽量となっている。
【００２７】
次に、生花を収容したフラワーボックス１を用いた運搬方法を、図１０を用いて説明する。最初に、図１０（ａ），（ｂ）に示すように、一のボックス２に水（保冷の為の氷を併用可能）を貯め、スリーブ３を嵌め合わせて内部に生花を収容する。この結果、フラワーボックス１の内部温度を低温に維持できる。次に、図１０（ｃ）に示すように、他のボックス２を、天地を逆にした状態でスリーブ３の上面側から嵌め合わせてフラワーボックス１を組み立てる。なお、このフラワーボックス１を車両の荷台に積むときには、ボックス２の底面に形成された山部２ｃ及び谷部２ｄを、上下方向から係合しながら段積みできるため、複数のフラワーボックス１を段積みしても安定した状態で輸送でき、且つ車載効率をアップすることができる。
【００２８】
次に、フラワーボックス１を用いた展示方法を、図１１，１２を用いて説明する。図１１（ａ），（ｂ）のフラワーボックス１の前列に示すように、ボックス２にディスプレイパネル４を嵌め合わせ、ボックス２には水（保冷の為の氷を併用可能）を貯め、ディスプレイパネル４の貫通孔４ｂにはディスプレイのための生花を挿入することで生花を展示する。また、図１１（ａ）の後列に示すように、上下方向を反対にしたボックス２を重ねたり、図１１（ｂ）の後列に示すように、スリーブ３の上にボックス２を載置することにより、安定して、且つ簡単にディスプレイの高さ調整ができ、生花の陳列のため高さ調整用の台が不要となる。なお、フラワーボックス１は２段のみではなく、それ以上に重ねることができる。
【００２９】
次に、フラワーボックス１と従来のバケツ式の花桶とのディスプレイ性の違いを図１３に示す。図１３（ａ），（ｂ）は同じ量の生花を用いてディスプレイしている。しかしながら、明らかに図１３（ａ）のフラワーボックス１の方が見栄えも良く、店舗においても目立つものとなることが分かる。
【００３０】
以上の説明のように、本実施の形態において、フラワーボックス１は、一面が開口した有底の箱状体であるボックス２と、上下面が開口した筒形状のスリーブ３とを備え、ボックス２の開口面とスリーブ３の一方の開口面とが対向する方向で嵌合し、天地を逆にしたボックス２の開口面とスリーブ３の他方の開口面とが対向する方向で嵌合することで生花を収容して運搬する際に用いるフラワーボックス１を組み立てる。
【００３１】
また、フラワーボックス１は、上面４ａに生花を挿入するための複数の貫通孔４ｂが形成されたディスプレイパネル４を備え、ディスプレイパネル４をボックス２の開口面に嵌合することで生花を展示する際に用いるフラワーボックス１を組み立てることができる。
【００３２】
これらの構成により、フラワーボックス１では、水や氷をボックス２に貯めて、保冷機能によりブーケ花などの花の鮮度を保ちながら輸送でき、生花の商品価値を上げることができる。また、車両の荷台において、フラワーボックス１を上下に重ねて積むことができるために輸送の際の車載効率をアップすることができる。
【００３３】
さらに、フラワーボックス１を用いて輸送された商品をそのまま店舗で陳列（ディスプレイ）でき、デザインの自由度・ディスプレイ性の高い全く新しいタイプのフラワーボックス１となる。また、店舗ではボックス２同士やボックス２とスリーブ３とを上下方向に重ねることでディスプレイの高さ調整が極めて容易にでき、陳列するために高さを整える台が不要となる。
【００３４】
そして、複数のボックス２や複数のディスプレイパネル４を上下方向に積み重ねることで、保管スペースを最小化・コンパクト化でき、且つ極めて軽量であるがために作業性が良く、容易に組み立てや分解ができる。また、フラワーボックス１を構成する発泡スチロール製の容器を洗浄することでリターナブルに使用することが可能となる。さらに、フラワーボックス１をボックス２とスリーブ３とディスプレイパネル４とに分解することで、極めてコンパクトな状態で保管や廃棄ができる。
【００３５】
（変形例）
本実施の形態の変形例について説明する。本変形例（図示せず）においては、フラワーボックス１は、製造段階でカラー原料を用いて着色される。この着色は、例えば、ブラウン、グリーン、ピンク、紫、ベージュ、オレンジ、ブルー、イエローなどの色を用いることができる。このことで、上記実施の形態を同様の作用効果を奏することができると共に、フラワーボックス１の色に応じて、例えば、フラワーボックス１内に収容されている生花の種別や仕分け先などの判別が可能となり、フラワーボックス１の保管や搬送時における作業性を高めることができる。また、同時に、フラワーボックス１の表面にインクジェット文字印刷（黒・緑・青・赤）をも行うことで様々な識別情報（社名、挨拶など）を表示することもできる。また、フラワーボックス１をミニブーケの贈答用ボックスとして用いることもできる。
【００３６】
なお、本発明は、上記実施の形態の構成に限られず、発明の趣旨を変更しない範囲で種々の変形が可能である。例えば、上述した実施の形態では、箱形状のフラワーボックス１を用いて説明したが、丸形、五角型や六角型などの多角形状でも構わない。
【符号の説明】
【００３７】
１  フラワーボックス
２  ボックス
２ａ  段差部
２ｂ  底面
２ｃ  山部
２ｄ  谷部
２ｅ  凹凸部
２ｆ  凹部
３  スリーブ
３ａ  環状凸部
３ｂ  凸部
３ｃ，３ｄ  ツメ部
４  ディスプレイパネル
４ａ  上面
４ｂ  貫通孔
４ｃ  凸条
４ｄ  Ｌ字状ツメ部
４ｅ  Ｌ字状溝部
【図１】
0006473704.tif 000002
【図２】
0006473704.tif 000003
【図３】
0006473704.tif 000004
【図４】
0006473704.tif 000005
【図５】
0006473704.tif 000006
【図６】
0006473704.tif 000007
【図７】
0006473704.tif 000008
【図８】
0006473704.tif 000009
【図９】
0006473704.tif 000010
【図１０】
0006473704.tif 000011
【図１１】
0006473704.tif 000012
【図１２】
0006473704.tif 000013
【図１３】
0006473704.tif 000014
【図１４】
0006473704.tif 000015